(57)【要約】【課題】２次元画像の表示と立体画像の表示とを容易に切り替えることのできる画像表示装置およびプログラムを得る。【解決手段】表示部８２Ｌによって表示された右目用画像および左目用画像の何れか一方の画像、および表示部８２Ｒによって表示された上記右目用画像および左目用画像の他方の画像を光学的に重ね合わせて立体視用の画像を形成するビーム・スプリッター・ミラー８４が、表示部８２Ｌと表示部８２Ｒとの間の予め定められた位置に位置決めされた場合に、表示部８２Ｌにより２次元画像を表示する表示モードからビーム・スプリッター・ミラー８４により立体画像を表示する表示モードに切り替える。【選択図】図１
2012113142.tif 000002
【特許請求の範囲】
【請求項１】
立体画像の撮影によって得られた右目用画像および左目用画像の何れか一方、または２次元画像を選択的に表示する第１の表示手段と、
前記右目用画像および左目用画像の他方を表示する第２の表示手段と、
前記立体画像を表示する際に前記第１の表示手段と前記第２の表示手段との間の予め定められた位置に位置決めされ、前記第１の表示手段によって表示された前記一方の画像および前記第２の表示手段によって表示された前記他方の画像を光学的に重ね合わせて立体視用の画像を形成する形成手段と、
前記形成手段が前記予め定められた位置に位置決めされた場合に、前記第１の表示手段により前記２次元画像を表示する表示モードから前記形成手段により前記立体画像を表示する表示モードに切り替える切替手段と、
を備えた画像表示装置。
【請求項２】
前記第１の表示手段によって前記一方の画像を表示する際に前記他方の画像の存在を報知する報知手段をさらに備えた
請求項１記載の画像表示装置。
【請求項３】
前記報知手段は、前記第１の表示手段による前記他方の画像の存在を示す画像の表示、音の発生、および振動の発生の少なくとも１つにより前記報知を行う
請求項２記載の画像表示装置。
【請求項４】
前記形成手段は、前記右目用画像と前記左目用画像とを互いに異なる偏光方向として重ね合わせるビーム・スプリッター・ミラーである
請求項１から請求項３の何れか１項記載の画像表示装置。
【請求項５】
前記第２の表示手段を収納する収納部をさらに備えた
請求項１から請求項４の何れか１項記載の画像表示装置。
【請求項６】
前記形成手段は、前記第２の表示手段の予め定められた端部に当該端部を回転軸として回動可能に設けられるか、または前記第２の表示手段とは別体で構成されている
請求項１から請求項５の何れか１項記載の画像表示装置。
【請求項７】
前記右目用画像、前記左目用画像、および前記２次元画像は放射線画像である
請求項１から請求項６の何れか１項記載の画像表示装置。
【請求項８】
立体画像の撮影によって得られた右目用画像および左目用画像の何れか一方、または２次元画像を選択的に表示する第１の表示手段、前記右目用画像および左目用画像の他方を表示する第２の表示手段、および前記立体画像を表示する際に前記第１の表示手段と前記第２の表示手段との間の予め定められた位置に位置決めされ、前記第１の表示手段によって表示された前記一方の画像および前記第２の表示手段によって表示された前記他方の画像を光学的に重ね合わせて立体視用の画像を形成する形成手段を備えた画像表示装置において実行されるプログラムであって、
コンピュータを、
前記形成手段が前記予め定められた位置に位置決めされたことを検出する検出手段と、
前記検出手段によって前記位置決めされたことが検出された場合に、前記第１の表示手段により前記２次元画像を表示する表示モードから前記形成手段により前記立体画像を表示する表示モードに切り替える切替手段と、
として機能させるためのプログラム。
【発明の詳細な説明】
【技術分野】
【０００１】
本発明は、画像表示装置およびプログラムに係り、特に、立体表示を行う画像表示装置およびプログラムに関する。
【背景技術】
【０００２】
近年、放射線を直接デジタルデータに変換できるＦＰＤ（Flat Panel Detector）等の放射線検出器が実用化されており、この放射線検出器を用いて、照射された放射線により表わされる放射線画像を撮影する放射線画像撮影装置が実用化されている。
【０００３】
ところで、この放射線画像撮影装置による撮影によって得られる放射線画像は、２次元画像であるため、病変等の立体的分布を判断しにくい。
【０００４】
そこで、診断精度を向上させることのできる技術として、被検者の撮影対象部位に対して所定の視差角で放射線を２回照射して放射線画像を撮影する立体撮影を行い、撮影された２つの放射線画像を読影者の右目と左目で個別に視認させて立体視を行う技術が提案されている。
【０００５】
従来、この種の技術で用いられる画像表示装置に関する技術として、特許文献１には、可動な平面ディスプレイと、前記平面ディスプレイを立て位置と横倒し位置の間に駆動する第１の駆動部と、多角錐面の一部を構成するように組み合わされた複数のミラーを備え三次元映像表示に用いられる可動の多角錐面型ミラーと、前記多角錐面型ミラーを横倒しされた前記平面ディスプレイ上の位置と待機位置の間に駆動する第２の駆動部と、各部を制御する制御部とを有し、二次元映像を表示するとき、前記制御部は、前記第２の駆動部によって前記多角錐面型ミラーを前記待機位置に駆動し、前記第１の駆動部によって前記平面ディスプレイを前記立て位置に駆動して、前記平面ディスプレイに二次元映像を表示し、三次元映像を表示するとき、前記制御部は、前記第１の駆動部によって前記平面ディスプレイを前記横倒し位置に駆動すると共に、前記第２の駆動部によって前記待機位置にある前記多角錐面型ミラーを前記横倒し位置にある前記平面ディスプレイ上に駆動し、前記平面ディスプレイに、視点がそれぞれ異なる複数のコマ映像を前記多角錐面型ミラーの複数のミラーに対応させて円弧状に表示することを特徴とする表示装置が開示されている。
【先行技術文献】
【特許文献】
【０００６】
【特許文献１】特開２００９−１２２５２６号公報
【発明の概要】
【発明が解決しようとする課題】
【０００７】
ところで、放射線画像の読影者は、２次元画像を参照している際に、より詳細に注目領域を調べたい場合には、当該注目領域から視点をはずすことなく、当該注目領域の立体画像を表示したい場合がある。
【０００８】
この場合、２次元画像を表示している状態から立体画像を表示する状態に、表示画面から視点をはずすことなく切り替える必要があるため、当該切り替えを行うための作業は極力単純なものであることが望ましい。
【０００９】
しかしながら、上記特許文献１に開示されている技術では、三次元映像を表示する際に、平面ディスプレイを横倒し位置に位置させると共に、待機位置にある多角錐面型ミラーを上記横倒し位置にある平面ディスプレイ上に位置させた後、平面ディスプレイに、視点がそれぞれ異なる複数のコマ映像を上記多角錐面型ミラーの複数のミラーに対応させて円弧状に表示する必要があり、２次元表示から立体表示への切り替えを、必ずしも容易に行うことができるとは言えない、という問題点があった。
【００１０】
なお、この問題点は、放射線画像を対象としたものに限らず、通常の可視光カメラや赤外光カメラ等によって得られた画像についても生じ得る問題点である。
【００１１】
本発明は上記問題点を解決するためになされたものであり、２次元画像の表示と立体画像の表示とを容易に切り替えることのできる画像表示装置およびプログラムを提供することを目的とする。
【課題を解決するための手段】
【００１２】
上記目的を達成するために、請求項１に記載の画像表示装置は、立体画像の撮影によって得られた右目用画像および左目用画像の何れか一方、または２次元画像を選択的に表示する第１の表示手段と、前記右目用画像および左目用画像の他方を表示する第２の表示手段と、前記立体画像を表示する際に前記第１の表示手段と前記第２の表示手段との間の予め定められた位置に位置決めされ、前記第１の表示手段によって表示された前記一方の画像および前記第２の表示手段によって表示された前記他方の画像を光学的に重ね合わせて立体視用の画像を形成する形成手段と、前記形成手段が前記予め定められた位置に位置決めされた場合に、前記第１の表示手段により前記２次元画像を表示する表示モードから前記形成手段により前記立体画像を表示する表示モードに切り替える切替手段と、を備えている。
【００１３】
請求項１に記載の画像表示装置によれば、第１の表示手段により、立体画像の撮影によって得られた右目用画像および左目用画像の何れか一方、または２次元画像が選択的に表示される一方、第２の表示手段により、前記右目用画像および左目用画像の他方が表示される。
【００１４】
ここで、本発明では、前記第１の表示手段によって表示された前記一方の画像および前記第２の表示手段によって表示された前記他方の画像を光学的に重ね合わせて立体視用の画像を形成する形成手段が、前記第１の表示手段と前記第２の表示手段との間の予め定められた位置に位置決めされた場合に、切替手段によって、前記第１の表示手段により前記２次元画像を表示する表示モードから前記形成手段により前記立体画像を表示する表示モードに切り替えられる。
【００１５】
このように、請求項１に記載の画像表示装置によれば、第１の表示手段によって表示された右目用画像および左目用画像の何れか一方の画像、および第２の表示手段によって表示された上記右目用画像および左目用画像の他方の画像を光学的に重ね合わせて立体視用の画像を形成する形成手段が、第１の表示手段と第２の表示手段との間の予め定められた位置に位置決めされた場合に、第１の表示手段により２次元画像を表示する表示モードから形成手段により立体画像を表示する表示モードに切り替えているので、上記形成手段を位置決めすることのみによって、容易に２次元画像の表示と立体画像の表示とを切り替えることができる。
【００１６】
なお、本発明は、請求項２に記載の発明のように、前記第１の表示手段によって前記一方の画像を表示する際に前記他方の画像の存在を報知する報知手段をさらに備えてもよい。これにより、参照している画像の立体画像を表示することができることをユーザに把握させることができ、ユーザにとっての利便性を向上させることができる。
【００１７】
特に、請求項２に記載の発明は、請求項３に記載の発明のように、前記報知手段が、前記第１の表示手段による前記他方の画像の存在を示す画像の表示、音の発生、および振動の発生の少なくとも１つにより前記報知を行ってもよい。これにより、参照している注目領域から視点をはずすことなく、立体画像を表示することができることをユーザに把握させることができる。
【００１８】
また、本発明は、請求項４に記載の発明のように、前記形成手段を、前記右目用画像と前記左目用画像とを互いに異なる偏光方向として重ね合わせるビーム・スプリッター・ミラーとしてもよい。これにより、第１の表示手段および第２の表示手段として通常の表示手段を用いることができ、汎用性を高めることができる。
【００１９】
また、本発明は、請求項５に記載の発明のように、前記第２の表示手段を収納する収納部をさらに備えてもよい。これにより、立体画像を表示しない場合には第２の表示手段を収納しておくことができ、使い勝手を向上させることができる。
【００２０】
また、本発明は、請求項６に記載の発明のように、前記形成手段が、前記第２の表示手段の予め定められた端部に当該端部を回転軸として回動可能に設けられるか、または前記第２の表示手段とは別体で構成されていてもよい。これにより、形成手段が、第２の表示手段の予め定められた端部に当該端部を回転軸として回動可能に設けられている場合には、形成手段を回動させるという簡易な操作のみで２次元画像の表示から立体画像の表示に切り替えることができる一方、形成手段が第２の表示手段とは別体で構成されている場合は、第２の表示手段に対する操作性を向上させることができる。
【００２１】
さらに、本発明は、請求項７に記載の発明のように、前記右目用画像、前記左目用画像、および前記２次元画像を放射線画像としてもよい。これにより、放射線画像において、２次元画像の表示と立体画像の表示とを容易に切り替えることができる。
【００２２】
一方、上記目的を達成するために、請求項８に記載のプログラムは、立体画像の撮影によって得られた右目用画像および左目用画像の何れか一方、または２次元画像を選択的に表示する第１の表示手段、前記右目用画像および左目用画像の他方を表示する第２の表示手段、および前記立体画像を表示する際に前記第１の表示手段と前記第２の表示手段との間の予め定められた位置に位置決めされ、前記第１の表示手段によって表示された前記一方の画像および前記第２の表示手段によって表示された前記他方の画像を光学的に重ね合わせて立体視用の画像を形成する形成手段を備えた画像表示装置において実行されるプログラムであって、コンピュータを、前記形成手段が前記予め定められた位置に位置決めされたことを検出する検出手段と、前記検出手段によって前記位置決めされたことが検出された場合に、前記第１の表示手段により前記２次元画像を表示する表示モードから前記形成手段により前記立体画像を表示する表示モードに切り替える切替手段と、として機能させるためのものである。
【００２３】
従って、請求項８に記載の発明によれば、コンピュータを請求項１に記載の発明と同様に作用させることができるので、請求項１に記載の発明と同様に、容易に２次元画像の表示と立体画像の表示とを切り替えることができる。
【発明の効果】
【００２４】
本発明によれば、第１の表示手段によって表示された右目用画像および左目用画像の何れか一方の画像、および第２の表示手段によって表示された上記右目用画像および左目用画像の他方の画像を光学的に重ね合わせて立体視用の画像を形成する形成手段が、第１の表示手段と第２の表示手段との間の予め定められた位置に位置決めされた場合に、第１の表示手段により２次元画像を表示する表示モードから形成手段により立体画像を表示する表示モードに切り替えているので、上記形成手段を位置決めすることのみによって、容易に２次元画像の表示と立体画像の表示とを切り替えることができる、という効果が得られる。
【図面の簡単な説明】
【００２５】
【図１】実施の形態に係る放射線画像表示システムの構成を示す斜視図である。
【図２】実施の形態に係る偏光メガネの構成と偏光メガネによる立体視の説明に供する概略図である。
【図３】実施の形態に係る画像表示装置の２次元画像の表示状態から立体画像の表示状態への推移を示す側面図である。
【図４】実施の形態に係る画像表示装置の電気系の要部構成を示すブロック図である。
【図５】実施の形態に係る撮影画像データベースの構成を示す模式図である。
【図６】実施の形態に係る画像表示処理プログラムの処理の流れを示すフローチャートである。
【図７】実施の形態に係る表示画像選択画面の一例を示す概略図である。
【図８】実施の形態に係る放射線画像の表示状態の一例を示す概略図である。
【図９】実施の形態に係る画像表示装置の他の構成例および２次元画像の表示状態から立体画像の表示状態への推移を示す側面図である。
【図１０】実施の形態に係る画像表示装置の他の構成例および２次元画像の表示状態から立体画像の表示状態への推移を示す側面図である。
【図１１】実施の形態に係る画像表示装置の他の構成例および２次元画像の表示状態から立体画像の表示状態への推移を示す正面図である。
【図１２】実施の形態に係る画像表示装置の他の構成例および２次元画像の表示状態から立体画像の表示状態への推移を示す平面図である。
【図１３】実施の形態に係る画像表示装置の他の構成例および２次元画像の表示状態から立体画像の表示状態への推移を示す正面図である。
【発明を実施するための形態】
【００２６】
以下、図面を参照して、本発明を実施するための形態について詳細に説明する。なお、ここでは、本発明を、放射線画像の読影の際に用いられる放射線画像表示システムに適用した場合の形態例について説明する。
【００２７】
まず、図１を参照して、本実施の形態に係る放射線画像表示システム１０の構成について説明する。
【００２８】
同図に示すように、本実施の形態に係る放射線画像表示システム１０は、画像処理装置２０と、画像表示装置８０とを備えている。
【００２９】
画像処理装置２０は、画像表示装置８０に接続されており、主に画像表示装置８０による放射線画像の表示を制御するものである。本実施の形態に係る放射線画像表示システム１０では、画像処理装置２０として、汎用のパーソナル・コンピュータの制御部が用いられている。
【００３０】
一方、画像表示装置８０は、２つの表示部８２が上下に並んで配置されており、上側に表示部８２が前方に傾斜されて固定されている。２つの表示部８２は、上側の表示部８２が右目用の画像を表示する表示部８２Ｒとされ、下側の表示部８２が主に左目用の画像を表示する表示部８２Ｌとされている。
【００３１】
本実施の形態に係る画像表示装置８０では、表示部８２Ｌの解像度が、その用途等に応じて放射線画像表示システム１０に要求される予め定められた解像度とされる一方、表示部８２Ｒの解像度が表示部８２Ｌより低い（本実施の形態にでは、水平方向および垂直方向の双方ともに表示部８２Ｌの２分の１の解像度）とされている。これにより、表示部８２Ｒの解像度を表示部８２Ｌと同一にする場合に比較して、画像表示装置８０のコストを低減させることができる。
【００３２】
この表示部８２Ｌと表示部８２Ｒとの間には、表示部８２Ｌからの表示光を透過し、表示部８２Ｒからの表示光を反射する、平面視矩形状で、かつ板状のビーム・スプリッター・ミラー８４が設けられている。本実施の形態に係る画像表示装置８０では、ビーム・スプリッター・ミラー８４が、表示部８２Ｒの表示部８２Ｌに固定されている側の端部に、ヒンジ８６を介して、当該ヒンジ８６の回転軸を中心として図１矢印Ａ方向に回動可能に設置されている。
【００３３】
本実施の形態に係るビーム・スプリッター・ミラー８４は、ハーフミラーを基台として、当該ハーフミラーにおける表示部８２Ｌの表示面側の面に、予め定められた偏光方向（本実施の形態では、水平方向）に入射光を偏光する偏光フイルム８４Ａが貼り付けられる一方、表示部８２Ｒの表示面側の面に、上記予め定められた偏光方向とは直交する方向（本実施の形態では、垂直方向）に入射光を偏光する偏光フイルム８４Ｂが貼り付けられている。
【００３４】
なお、本実施の形態に係る画像表示装置８０では、ビーム・スプリッター・ミラー８４の回動範囲が、医師等の読影者が正面から画像表示装置８０を目視した際に、表示部８２Ｌに表示される画像と表示部８２Ｒに表示される画像とが重なるように角度が調整された全開位置（図１，図３（Ｂ）に示される位置）と、ビーム・スプリッター・ミラー８４の偏光フイルム８４Ｂが貼り付けられている側の面が表示部８２Ｒの表示面に重なる全閉位置（図３（Ａ）に示される位置）との間の範囲に制限されている。また、本実施の形態に係る画像表示装置８０は、ビーム・スプリッター・ミラー８４が全閉位置とされている際には、ビーム・スプリッター・ミラー８４のヒンジ８６に取り付けられた側の辺を除く３辺の何れか１つに対して下方への力が加わらない限りは全閉位置を維持し、当該力が加わった場合に全開位置まで回動するものとされている。
【００３５】
読影者は、図２に示すように、ビーム・スプリッター・ミラー８４を全開位置に位置決めし、かつ表示部８２Ｌに左目用画像を、表示部８２Ｒに右目用画像を各々表示させた状態で、右のレンズと左のレンズとで偏光方向が直交方向とされている偏光メガネ８５をかけてビーム・スプリッター・ミラー８４を参照することにより、左目と右目とで表示部８２Ｌに表示された左目用画像と表示部８２Ｒに表示された右目用画像とを各々別々に見ることができ、この結果として立体画像を見ることができる。
【００３６】
本実施の形態に係る放射線画像表示システム１０では、図３（Ａ）に示すように、読影者により、ビーム・スプリッター・ミラー８４が全閉位置とされた状態で２次元の放射線画像に対する読影を行い、この際に読影対象とする画像の立体画像を表示させたい場合にビーム・スプリッター・ミラー８４の上記３辺の何れか１つに対して下方に力を加えることにより、図３（Ｂ）に示すように、ビーム・スプリッター・ミラー８４を全開位置に位置決めする。
【００３７】
なお、図１に示すように、本実施の形態に係る画像表示装置８０には、表示部８２Ｌを支持する支持台８８が設けられており、支持台８８の表面にはキーボード８０Ｄが設けられている。従って、読影者は、画像処理装置２０に対し、キーボード８０Ｄを介して各種情報を入力することができる。
【００３８】
次に、図４を参照して、本実施の形態に係る放射線画像表示システム１０の電気系の要部構成を説明する。
【００３９】
同図に示すように、本実施の形態に係る画像処理装置２０は、装置全体の動作を司るＣＰＵ（中央処理装置）２０Ａと、制御プログラムを含む各種プログラム等が予め記憶されたＲＯＭ（Read Only Memory）２０Ｂと、各種データを一時的に記憶するＲＡＭ（Random Access Memory）２０Ｃと、各種データを記憶して保持するＨＤＤ（Hard Disc Drive）２０Ｄと、外部装置等との間の各種情報の送受信を行うインタフェース部（以下、「Ｉ／Ｆ」という。）２０Ｅと、を備えている。
【００４０】
ＣＰＵ２０Ａ、ＲＯＭ２０Ｂ、ＲＡＭ２０Ｃ、ＨＤＤ２０Ｄ、およびＩ／Ｆ２０Ｅは、システムバスＢ１を介して相互に接続されている。従って、ＣＰＵ２０Ａは、ＲＯＭ２０Ｂ、ＲＡＭ２０Ｃ、ＨＤＤ２０Ｄへのアクセスを行うことができる。また、ＣＰＵ２０Ａは、Ｉ／Ｆ２０Ｅを介して外部装置との間で各種情報の送受信を行うことができる。
【００４１】
一方、本実施の形態に係る画像表示装置８０は、装置全体の動作を司るＣＰＵ８０Ａと、制御プログラムを含む各種プログラム等が予め記憶されたＲＯＭ８０Ｂと、各種データを一時的に記憶するＲＡＭ８０Ｃと、前述したキーボード８０Ｄと、外部装置等との間の各種情報の送受信を行うＩ／Ｆ８０Ｅと、前述した表示部８２Ｌおよび表示部８２Ｒと、ビーム・スプリッター・ミラー８４が全開位置にあるのか、全閉位置にあるのかを検出する開閉センサ８０Ｆと、を備えている。
【００４２】
ＣＰＵ８０Ａ、ＲＯＭ８０Ｂ、ＲＡＭ８０Ｃ、キーボード８０Ｄ、Ｉ／Ｆ８０Ｅ、表示部８２Ｌ，８２Ｒ、および開閉センサ８０Ｆは、システムバスＢ２を介して相互に接続されている。従って、ＣＰＵ８０Ａは、ＲＯＭ８０Ｂ、ＲＡＭ８０Ｃへのアクセス、キーボード８０Ｄを介して入力された情報の取得、表示部８２Ｌ，８２Ｒへの各種画像の表示、および開閉センサ８０Ｆによる検知結果の把握を行うことができる。また、ＣＰＵ８０Ａは、Ｉ／Ｆ８０Ｅを介して外部装置との間で各種情報の送受信を行うことができる。
【００４３】
ここで、本実施の形態に係る放射線画像表示システム１０では、画像処理装置２０のＩ／Ｆ２０Ｅと、画像表示装置８０のＩ／Ｆ８０Ｅとが接続されており、画像処理装置２０と画像表示装置８０とは、互いに各種情報の授受が可能とされている。
【００４４】
そして、本実施の形態に係る放射線画像表示システム１０では、画像処理装置２０による制御により、画像表示装置８０の表示部８２Ｌ，８２Ｒに各種画像を表示すること、画像表示装置８０に設けられたキーボード８０Ｄを介して入力された各種情報を画像処理装置２０により受信すること、および開閉センサ８０Ｆによる検知結果を示す情報を画像処理装置２０により受信することができる。
【００４５】
ところで、本実施の形態に係る放射線画像表示システム１０では、一例として図５に示すように、読影対象とする画像データが予め撮影画像データベースＤＢとして、画像処理装置２０のＨＤＤ２０Ｄに登録される。
【００４６】
同図に示すように、本実施の形態に係る撮影画像データベースＤＢは、患者ＩＤ（Identification）、撮影日時、撮影種別、画像データ、および撮影条件の各情報が記憶されるものとして構成されている。
【００４７】
なお、上記患者ＩＤは、放射線画像が撮影された患者を特定するための情報であり、当該患者毎に異なる情報が予め割り当てられている。また、上記撮影日時は、対応する患者の、対応する画像データを得るための撮影を行った日時を示す情報であり、上記撮影種別は、対応する画像データが通常の２次元画像の撮影で得られた画像データであるのか、立体撮影によって得られた画像データであるのかを示す情報である。
【００４８】
また、上記画像データは、撮影によって得られた放射線画像を示す画像データであり、立体撮影によって得られた場合は左目用の画像データ（以下、「左目用画像データ」という。）と右目用の画像データ（以下、「右目用画像データ」という。）との２つが登録され、通常の２次元撮影によって得られた場合には単一の画像データ（以下、「２次元画像データ」という。）が登録される。さらに、上記撮影条件は、対応する画像データを得る際の患者の姿勢（立位、臥位等）、撮影対象部位（胸部、胃部、脚部、腕部等）、放射線の曝射条件（管電流、管電圧、曝射期間等）等の各種撮影条件を示す情報である。
【００４９】
なお、上記立体撮影による左目用画像データおよび右目用画像データは、図示しないマンモグラフィや、可搬型の放射線画像撮影装置（所謂電子カセッテ）等を用いた撮影により、放射線源からの放射線の曝射位置を変えたり、放射線画像撮影装置による撮影位置を変えたりして２回撮影を行うことにより得ることができる。
【００５０】
本実施の形態に係る放射線画像表示システム１０では、２次元画像データ、左目用画像データおよび右目用画像データとして、画素数が表示部８２Ｌの解像度に対応するものが適用されているが、これに限るものでないことは言うまでもない。
【００５１】
次に、図６を参照して、本実施の形態に係る放射線画像表示システム１０の作用を説明する。なお、図６は、読影者によって実行する旨の指示操作がキーボード８０Ｄを介して行われた際に、画像処理装置２０のＣＰＵ２０Ａによって実行される画像表示処理プログラムの処理の流れを示すフローチャートであり、当該プログラムはＲＯＭ２０Ｂの所定領域に予め記憶されている。また、ここでは、錯綜を回避するために、ビーム・スプリッター・ミラー８４が全閉位置および全開位置の何れかに位置決めされる場合について説明する。
【００５２】
同図のステップ１００では、開閉センサ８０Ｆによる検知結果に応じてビーム・スプリッター・ミラー８４が全開位置となっているか否かを判定し、肯定判定となった場合はステップ１０２に移行して、ビーム・スプリッター・ミラー８４の全閉位置への移動を指示する旨を報知した後、ステップ１０４に移行する一方、否定判定となった場合には、上記ステップ１０２の処理を実行することなくステップ１０４に移行する。なお、本実施の形態に係る画像表示処理プログラムでは、上記ステップ１０２による報知を、ビーム・スプリッター・ミラー８４の全閉位置への移動を指示するメッセージを表示部８２Ｌに表示させることにより行っているが、これに限るものではない。
【００５３】
上記ステップ１０２による報知が行われると、読影者は、ビーム・スプリッター・ミラー８４を全閉位置に移動させる。
【００５４】
ステップ１０４では、予め定められた表示画像選択画面を表示部８２Ｌに表示させるようにＩ／Ｆ２０Ｅを介して制御し、次のステップ１０６にてキーボード８０ＤによるＩ／Ｆ２０Ｅを介した所定情報の入力待ちを行う。図７には、上記ステップ１０４の処理によって表示部８２Ｌにより表示される表示画像選択画面の一例が示されている。
【００５５】
本実施の形態に係る表示画像選択画面では、まず、一例として図７（Ａ）に示すように、放射線画像の表示対象とする患者（以下、「表示対象者」という。）に割り振られた患者ＩＤの入力を促すメッセージと、当該患者ＩＤの入力領域が表示される。
【００５６】
同図に示す表示画像選択画面が表示部８２Ｌに表示されると、読影者は、表示対象者に対応する患者ＩＤを上記入力領域にキーボード８０Ｄを介して入力する。これに応じて、ＣＰＵ２０Ａは、入力された患者ＩＤに対応する撮影日時および撮影条件の各情報を撮影画像データベースＤＢから読み出す。そして、ＣＰＵ２０Ａは、読み出した情報に基づいて、一例として図７（Ｂ）に示すように、表示対象者について過去に撮影された放射線画像群からの表示対象とする画像（以下、「表示対象画像」という。）の選択を促すメッセージを、当該放射線画像群から１つの表示対象画像を選択可能に構成された選択指定領域と共に表示画像選択画面に表示する。これに応じて、読影者は、キーボード８０Ｄを介して、表示対象画像を指定した後、当該画面の下端近傍に表示された終了ボタンを指定する。これに応じて、上記ステップ１０６が肯定判定となってステップ１０８に移行する。
【００５７】
ステップ１０８では、表示対象画像に対応する撮影種別を示す情報を撮影画像データベースＤＢから読み出し、当該情報が立体撮影を示す情報であるか否かを判定することにより、表示対象画像が立体撮影によって得られた画像であるか否かを判定して、否定判定となった場合はステップ１１０に移行する。
【００５８】
ステップ１１０では、表示対象画像に対応する画像データを撮影画像データベースＤＢから読み出し、当該画像データにより示される表示対象画像（２次元画像）を表示部８２Ｌに表示させるようにＩ／Ｆ２０Ｅを介して制御し、その後に後述するステップ１２０に移行する。上記ステップ１１０の処理により、一例として図８（Ａ）に示すように、表示対象とする放射線画像が表示部８２Ｌによって表示される。
【００５９】
なお、同図に示すように、本実施の形態に係る画像表示処理プログラムでは、このとき、表示部８２Ｌの表示領域における下端部近傍に、別の放射線画像を表示したい場合に指定される「次の画像表示」ボタンと、放射線画像の読影を終了する場合に指定される「終了」ボタンとを表示している。
【００６０】
一方、上記ステップ１０８において肯定判定となった場合はステップ１１２に移行し、開閉センサ８０Ｆによる検知結果に応じてビーム・スプリッター・ミラー８４が全開位置に位置されているか否かを判定し、肯定判定となった場合はステップ１１４に移行する。
【００６１】
ステップ１１４では、表示対象画像に対応する左目用画像データおよび右目用画像データを撮影画像データベースＤＢから読み出し、右目用画像データの画素数を表示部８２Ｒの解像度に対応する数となるように低減させる画素数変換処理を実行する。
【００６２】
次のステップ１１６では、以上の処理によって画素数が低減された右目用画像データに対して、当該右目用画像データにより示される放射線画像の左右を反転させる左右反転処理を実行する。
【００６３】
次のステップ１１８では、以上の処理によって得られた右目用画像データにより示される放射線画像を表示部８２Ｒに表示させる共に、左目用画像データにより示される放射線画像を表示部８２Ｌに表示させるようにＩ／Ｆ２０Ｅを介して制御した後、ステップ１２０に移行する。
【００６４】
上記ステップ１１８の処理によってビーム・スプリッター・ミラー８４には、図８（Ｂ）に示すように、表示部８２Ｌに表示され、偏光フイルム８４Ａによって上記予め定められた偏光方向（本実施の形態では、水平方向）に偏光された左目用の放射線画像と、上記ステップ１１４の処理によって画素数変換処理が実行され、かつ上記ステップ１１６の処理によって左右反転処理が実行されると共に、偏光フイルム８４Ｂによって上記予め定められた偏光方向とは直交する方向（本実施の形態では、垂直方向）に偏光された右目用の放射線画像と、が重ね合わされた状態で表示される。従って、読影者は、偏光メガネ８５を装着することにより、自身が選択した表示対象画像を立体画像として参照することができる。
【００６５】
なお、同図に示すように、本実施の形態に係る画像表示処理プログラムでは、このとき、表示部８２Ｌの表示領域における下端部近傍に、別の放射線画像を表示したい場合に指定される「次の画像表示」ボタンと、放射線画像の読影を終了する場合に指定される「終了」ボタンとを表示している。
【００６６】
ステップ１２０では、上記２次元画像または上記立体画像と共に表示されている「終了」ボタンが指定されたか否かを判定することにより、読影の終了が指定されたか否かを判定し、肯定判定となった場合は本画像表示処理プログラムを終了する一方、否定判定となった場合にはステップ１２２に移行する。
【００６７】
ステップ１２２では、上記２次元画像または上記立体画像と共に表示されている「次の画像表示」ボタンが指定されたか否かを判定することにより、別の放射線画像を表示する旨が指定されたか否かを判定し、否定判定となった場合は上記ステップ１２０に戻る一方、肯定判定となった場合にはステップ１００に戻る。
【００６８】
一方、上記ステップ１１２において否定判定となった場合はステップ１２４に移行し、表示対象画像に対応する左目用画像データを撮影画像データベースＤＢから読み出して、当該左目用画像データにより示される表示対象画像と、当該表示対象画像が立体撮影によって得られた画像であり、対応する右目用画像が存在することを示すマーク（本実施の形態では、アイコン（Icon））とを表示部８２Ｌに表示するようにＩ／Ｆ２０Ｅを介して制御する。
【００６９】
本ステップ１２４の処理により、一例として図８（Ｃ）に示すように、表示対象とする左目用の放射線画像と、アイコン９０とが表示部８２Ｌに表示される。また、この場合も、表示部８２Ｌの表示領域における下端部近傍に、別の放射線画像を表示したい場合に指定される「次の画像表示」ボタンと、放射線画像の読影を終了する場合に指定される「終了」ボタンとを表示している。なお、読影者は、アイコン９０が表示されたことにより、表示中の放射線画像が立体撮影によって得られたものであり、当該放射線画像の立体表示が可能であることが把握できるので、当該立体表示を行いたい場合には、ビーム・スプリッター・ミラー８４を全開位置に位置させることになる。
【００７０】
次のステップ１２６では、開閉センサ８０Ｆによる検知結果に応じてビーム・スプリッター・ミラー８４が全開位置に位置しているか否かを判定し、肯定判定となった場合は前述したステップ１１４に移行する一方、否定判定となった場合にはステップ１２８に移行する。
【００７１】
ステップ１２８では、上記ステップ１２４の処理によって表示部８２Ｌに表示されている「終了」ボタンが指定されたか否かを判定することにより、読影の終了が指定されたか否かを判定し、否定判定となった場合にはステップ１３０に移行する。
【００７２】
ステップ１３０では、表示部８２Ｌに表示されている「次の画像表示」ボタンが指定されたか否かを判定することにより、別の放射線画像を表示する旨が指定されたか否かを判定し、否定判定となった場合は上記ステップ１２６に戻る一方、肯定判定となった場合にはステップ１００に戻る。
【００７３】
一方、上記ステップ１２８において肯定判定となった場合は本画像表示処理プログラムを終了する。
【００７４】
以上詳細に説明したように、本実施の形態によれば、第１の表示手段（本実施の形態では、表示部８２Ｌ）によって表示された右目用画像および左目用画像の何れか一方の画像（本実施の形態では、左目用画像）、および第２の表示手段（本実施の形態では、表示部８２Ｒ）によって表示された上記右目用画像および左目用画像の他方の画像（本実施の形態では、右目用画像）を光学的に重ね合わせて立体視用の画像を形成する形成手段（本実施の形態では、ビーム・スプリッター・ミラー８４）が、第１の表示手段と第２の表示手段との間の予め定められた位置（本実施の形態では、全開位置）に位置決めされた場合に、第１の表示手段により２次元画像を表示する表示モードから形成手段により立体画像を表示する表示モードに切り替えているので、上記形成手段を位置決めすることのみによって、容易に２次元画像の表示と立体画像の表示とを切り替えることができる。
【００７５】
また、本実施の形態によれば、前記第１の表示手段によって前記一方の画像を表示する際に前記他方の画像の存在を報知しているので、参照している画像の立体画像を表示することができることをユーザに把握させることができ、ユーザにとっての利便性を向上させることができる。
【００７６】
特に、本実施の形態によれば、前記報知を、前記第１の表示手段による前記他方の画像の存在を示す画像（本実施の形態では、アイコン９０）の表示により行っているので、参照している注目領域から視点をはずすことなく、立体画像を表示することができることをユーザに把握させることができる。
【００７７】
また、本実施の形態によれば、前記形成手段を、前記右目用画像と前記左目用画像とを互いに異なる偏光方向として重ね合わせるビーム・スプリッター・ミラーとしているので、第１の表示手段および第２の表示手段として通常の表示手段を用いることができ、汎用性を高めることができる。
【００７８】
また、本実施の形態によれば、前記形成手段が、前記第２の表示手段の予め定められた端部に当該端部を回転軸として回動可能に設けられているので、形成手段を回動させるという簡易な操作のみで２次元画像の表示から立体画像の表示に切り替えることができる。
【００７９】
また、本実施の形態によれば、前記第２の表示手段が、解像度が前記第１の表示手段に比較して低いものとしているので、第２の表示手段のコストを低減させることができる。
【００８０】
さらに、本実施の形態によれば、前記右目用画像、前記左目用画像、および前記２次元画像を放射線画像としているので、放射線画像において、２次元画像の表示と立体画像の表示とを容易に切り替えることができる。
【００８１】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００８２】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【００８３】
例えば、上記実施の形態では、表示部８２Ｌによって右目用画像および左目用画像の何れか一方の画像を表示する際の他方の画像の存在の報知方法として、当該他方の画像の存在を示す画像（上記実施の形態では、アイコン９０）の表示により報知する方法を適用した場合について説明したが、本発明はこれに限定されるものではなく、例えば、当該画像の表示による報知に加えて、音の発生による報知、および振動の発生による報知の１つ、または複数の組み合わせを適用する形態としてもよい。なお、上記音の発生による報知を適用する場合の形態例としては、画像処理装置２０または画像表示装置８０にブザーを内蔵しておき、当該ブザーを鳴動させることにより報知する形態、画像処理装置２０または画像表示装置８０にスピーカを内蔵しておき、当該スピーカにより音声を発生させることにより報知する形態等を例示することができる。また、上記振動の発生による報知を適用する場合の形態例としては、画像処理装置２０または画像表示装置８０にバイブレータを内蔵しておき、当該バイブレータを振動させることにより報知する形態等を例示することができる。
【００８４】
また、上記実施の形態では、ビーム・スプリッター・ミラー８４を表示部８２Ｒに一体的に構成した場合について説明したが、本発明はこれに限定されるものではなく、ビーム・スプリッター・ミラー８４を表示部８２Ｒとは別体で構成する形態としてもよい。この場合の形態例としては、ビーム・スプリッター・ミラー８４の一端部を表示部８２Ｌの表示部８２Ｒとの境界位置近傍にヒンジ等を介して設置する形態等、ビーム・スプリッター・ミラー８４を表示部８２Ｒとは異なる構成品に設ける形態の他、ビーム・スプリッター・ミラー８４を単体で用意しておく一方、表示部８２Ｌと表示部８２Ｒとの境界位置近傍にビーム・スプリッター・ミラー８４の端部を狭持する狭持部を設けておき、立体表示を行う場合のみ、ビーム・スプリッター・ミラー８４を上記狭持部に狭持させる形態等を例示できる。
【００８５】
また、上記実施の形態では、表示部８２Ｒが固定されている場合について説明したが、本発明はこれに限定されるものではなく、例えば、表示部８２Ｒが可動配置されている形態としてもよい。以下、この形態例について説明する。なお、以下では、上記実施の形態に係る画像表示装置８０と同一の役割を有する部位については図３と同一の符号を付する。
【００８６】
まず、図９に示す例は、表示部８２Ｒが表示部８２Ｌに収納可能とされている場合の形態例である。
【００８７】
この形態では、図９（Ａ）に示すように、表示部８２Ｌのみを用いて放射線画像を表示する際には、ビーム・スプリッター・ミラー８４を全閉位置に位置させた状態で表示部８２Ｒを表示部８２Ｌに設けられた収納部８３に収納する。そして、立体画像を表示する際には、表示部８２Ｒの先端部を把持して図９（Ａ）の矢印Ａ方向に表示部８２Ｒを引き出した後、図９（Ｂ）の矢印Ｂ方向に表示部８２Ｒを回動させて図９（Ｃ）に示す状態とする。その後、図９（Ｃ）の矢印Ｃ方向にビーム・スプリッター・ミラー８４を回動させて、図９（Ｄ）に示すようにビーム・スプリッター・ミラー８４を全開位置に位置させる。
【００８８】
また、図１０に示す例は、表示部８２Ｒが表示部８２Ｌの背後に配置可能とされている場合の形態例である。
【００８９】
この形態では、図１０（Ａ）に示すように、表示部８２Ｌのみを用いて放射線画像を表示する際には、ビーム・スプリッター・ミラー８４を全閉位置に位置させた状態で表示部８２Ｒを表示部８２Ｌの背後に当該表示部８２Ｌに重なるように配置する。そして、立体画像を表示する際には、表示部８２Ｒの先端部を把持して図１０（Ａ）の矢印Ｄ方向に表示部８２Ｒを回動させて図１０（Ｂ）に示す状態とした後、図１０（Ｂ）の矢印Ｅ方向にビーム・スプリッター・ミラー８４を回動させて、図１０（Ｃ）に示すようにビーム・スプリッター・ミラー８４を全開位置に位置させる。
【００９０】
一方、図１１に示す例は、表示部８２Ｒが表示部８２Ｌに収納可能とされている場合の他の形態例である。
【００９１】
この形態では、図１２（Ａ）に示すように、表示部８２Ｌのみを用いて放射線画像を表示する際には、ビーム・スプリッター・ミラー８４を全閉位置に位置させた状態で表示部８２Ｒを表示部８２Ｌに設けられた収納部８３に収納する。そして、立体画像を表示する際には、表示部８２Ｒの先端部を把持して図１２（Ａ）の矢印Ｆ方向に表示部８２Ｒを引き出して図１２（Ｂ）に示す状態とした後、図１２（Ｂ）の矢印Ｇ方向に表示部８２Ｒを回動させて図１２（Ｃ）に示す状態とする。その後、図１２（Ｃ）の矢印Ｈ方向にビーム・スプリッター・ミラー８４を回動させて、図１２（Ｄ）に示すようにビーム・スプリッター・ミラー８４を全開位置に位置させる。
【００９２】
なお、図１１および図１２に示した形態の変形例として、表示部８２Ｒを表示部８２Ｌの正面視左側（図１１の矢印Ｆ方向の逆方向）に引き出し可能とする形態が例示される。
【００９３】
さらに、図１３に示す例は、表示部８２Ｒとして有機ＥＬディスプレイ等のフレキシブル型のディスプレイが用いられ、当該表示部８２Ｒが収納可能とされている場合の形態例である。
【００９４】
この形態では、図１３（Ａ）に示すように、表示部８２Ｌのみを用いて放射線画像を表示する際には、長手方向一端部に支持棒８２Ｒ１が設けられた表示部８２Ｒを、長手方向他端部を中心軸として巻回し、かつ支持棒８２Ｒ１を切り欠き部８７Ａから外部に露出させた状態でケース８７に収容させる。そして、立体画像を表示する際には、支持棒８２Ｒ１の先端部を把持して図１３（Ａ）の矢印Ｉ方向に表示部８２Ｒを引き出して支持棒８２Ｒ１の先端部を図示しない固定部に固定することにより図１３（Ｂ）に示す状態とした後、図１３（Ｃ）に示すように、ケース８７に設けられた狭持部８７Ｂに画像表示装置８０とは別体として構成されたビーム・スプリッター・ミラー８４を狭持させる。
【００９５】
なお、図１３に示した形態の変形例として、ケース８７を表示部８２Ｌの正面視左端部または上端部に設ける形態が例示される。
【００９６】
図９，図１１，図１２，図１３に示す形態例では、表示部８２Ｒを収納する収納部を備えているので、立体画像を表示しない場合には表示部８２Ｒを収納しておくことができ、使い勝手を向上させることができる。
【００９７】
また、上記実施の形態では、画像表示処理プログラムを画像表示装置８０とは別体で構成された画像処理装置２０によって実行する場合について説明したが、本発明はこれに限定されるものではなく、画像表示装置８０により実行する形態としてもよい。この場合の形態例としては、画像表示処理プログラムを画像表示装置８０のＲＯＭ８０Ｂに予め記憶しておき、ＣＰＵ８０Ａにより当該画像表示処理プログラムを実行する形態を例示することができる。この場合、画像処理装置２０が不要となり、放射線画像表示システム１０の構成を簡略化することができる。
【００９８】
また、上記実施の形態では、ビーム・スプリッター・ミラー８４に偏光フイルム８４Ａおよび偏光フイルム８４Ｂを貼り付けることにより、ビーム・スプリッター・ミラー８４によって右目用画像および左目用画像の偏光を実現する場合について説明したが、本発明はこれに限定されるものではなく、例えば、表示部８２Ｌの表示面に偏光フイルム８４Ａを貼り付け、表示部８２Ｒの表示面に偏光フイルム８４Ｂを貼り付けることにより上記偏光を実現する形態としてもよい。この場合、ビーム・スプリッター・ミラー８４に偏光機能を設ける必要がなくなるため、ビーム・スプリッター・ミラー８４に代えて単なるハーフミラーを用いることになる。
【００９９】
また、上記実施の形態では、表示部８２Ｌに左目用画像を表示させ、表示部８２Ｒに右目用画像を表示させる場合について説明したが、本発明はこれに限定されるものではなく、表示部８２Ｌに右目用画像を表示させ、表示部８２Ｒに左目用画像を表示させる形態としてもよい。なお、この際、読影者の利き目に対応する画像を高解像度側の表示部（本実施の形態では、表示部８２Ｌ）に表示させるようにすることが好ましい。
【０１００】
また、上記実施の形態では、表示部８２Ｌと表示部８２Ｒとして解像度が異なるものを適用した場合について説明したが、本発明はこれに限定されるものではなく、解像度が同一のものを適用する形態としてもよい。
【０１０１】
また、上記実施の形態では、表示対象とする画像として放射線画像を適用した場合について説明したが、本発明はこれに限定されるものではなく、通常の可視光カメラや暗視カメラ等による撮影によって得られた画像等の他の画像を適用する形態としてもよい。
【０１０２】
その他、上記実施の形態で説明した放射線画像表示システム１０の構成（図１〜図４参照。）は一例であり、本発明の主旨を逸脱しない範囲内において、不要な部分を削除したり、新たな部分を追加したり、接続状態等を変更したりすることができることは言うまでもない。
【０１０３】
また、上記実施の形態で説明した各種画面の構成（図７，図８参照。）も一例であり、本発明の主旨を逸脱しない範囲内において、不要な情報を削除したり、新たな情報を追加したり、表示状態等を変更したりすることができることは言うまでもない。
【０１０４】
また、上記実施の形態で説明した撮影画像データベースの構成（図５参照。）も一例であり、本発明の主旨を逸脱しない範囲内において、不要な情報を削除したり、新たな情報を追加したりしてもよいことは言うまでもない。
【０１０５】
さらに、上記実施の形態で説明した画像表示処理プログラムの処理の流れ（図６参照。）も一例であり、本発明の主旨を逸脱しない範囲内において、不要なステップを削除したり、新たなステップを追加したり、処理順序を入れ換えたりすることができることは言うまでもない。
【符号の説明】
【０１０６】
１０    放射線画像表示システム
２０    画像処理装置
２０Ａ    ＣＰＵ（切替手段，報知手段，検出手段）
２０Ｂ    ＲＯＭ
２０Ｄ    ＨＤＤ
２０Ｅ    インタフェース
８０    画像表示装置
８０Ａ    ＣＰＵ
８０Ｄ    キーボード
８０Ｅ    インタフェース
８０Ｆ    開閉センサ
８２Ｌ    表示部（第１の表示手段）
８２Ｒ    表示部（第２の表示手段）
８３    収納部
８４    ビーム・スプリッター・ミラー（形成手段）
８６    ヒンジ
８７    ケース（収納部）
ＤＢ    撮影画像データベース
【図１】
2012113142.tif 000003
【図２】
2012113142.tif 000004
【図３】
2012113142.tif 000005
【図４】
2012113142.tif 000006
【図５】
2012113142.tif 000007
【図６】
2012113142.tif 000008
【図７】
2012113142.tif 000009
【図８】
2012113142.tif 000010
【図９】
2012113142.tif 000011
【図１０】
2012113142.tif 000012
【図１１】
2012113142.tif 000013
【図１２】
2012113142.tif 000014
【図１３】
2012113142.tif 000015